(57)【要約】      （修正有）【課題】シートベルトのアームへの係合操作とアームのバックル装置本体側への係合操作とを、ワンタッチで行う。【解決手段】車体上方に開放する開放部１６を略中央に形成したバックルベース１２と、バックルベース１２に設けられたバックルカバーと、バックルベース１２の、略中央の開放部１６を挟む両側のうち一方側に一端が回動可能に装着されて他端２０ｂを自由端としたアーム２０と、バックルベース１２の、略中央の開放部１６を挟む両側のうち他方側に設けられてアーム２０の他端２０ｂを係合保持する係合部３０と、開放部１６の底面に設けられて下方への押圧操作によりアーム２０を回動させてアーム２０の他端２０ｂを係合部３０に係合させるアーム回動部４０と、を備えている。【選択図】図１
2014054905.tif 000002
【特許請求の範囲】
【請求項１】
車体上方に開放する開放部を略中央に形成したバックルベースと、
前記バックルベースに設けられたバックルカバーと、
前記バックルベースの、前記略中央の前記開放部を挟む両側のうち一方側に一端が回動可能に装着されて他端を自由端としたアームと、
前記バックルベースの、前記略中央の前記開放部を挟む両側のうち他方側に設けられて前記アームの他端を係合保持する係合部と、
前記開放部の底面に設けられて下方への押圧操作により前記アームを回動させて前記アームの他端を前記係合部に係合させるアーム回動部と、
を備えている
ことを特徴とするバックル装置。
【請求項２】
請求項１記載のバックル装置において、
前記係合部は、
前記アームの他端と係合して前記アームの開放方向への回動を阻止するラッチ爪と、
前記アームの他端と前記ラッチ爪との係合を解除する解除部と、
を備えている
ことを特徴とするバックル装置。
【請求項３】
請求項２記載のバックル装置において、
前記アーム回動部は、
前記開放部の底面に位置して押圧操作される操作部と、
前記操作部の押圧操作に連動して前記アームの他端を係合方向に回動させる回動部と、
常時は前記ラッチ爪が退避位置に位置するように前記ラッチ爪と係合しかつ前記操作部の押圧操作に連動して前記ラッチ爪との係合が解除されて前記ラッチ爪を前記アームの他端に弾発係合させるシャッタ部と、
を備えている
ことを特徴とするバックル装置。
【発明の詳細な説明】
【技術分野】
【０００１】
本発明は、車体の床面又は座席に固定されて引き出されたシートベルトの一部を折り返すように保持することで、乗員を拘束するようにしたシートベルト用のバックル装置に関する。
【背景技術】
【０００２】
従来、車両に装備されているシートベルト装置は、布製の帯状に形成されたシートベルトと、シートベルトに設けられたタングと、常時はシートベルトの一部を巻き取るリトラクタ装置と、車体（例えば、センターピラー）や座席等から引き出した状態でタングと係合してシートベルトを折り返すように保持することで乗員を拘束するバックル装置と、を備えている。
【０００３】
また、このようなシートンベルト装置においては、シートベルトとの相対位置に自由度を持たせるために、スルーリング等を介しタングを設けることで、乗員の体格に応じた拘束力を確保している。このため、乗員はタングの位置を確認しつつシートベルトを引き出し、タングをバックル装置に係合させなければならず、操作負担が大きい。そこで、これを解消するために、タングを廃止してシートベルトを直接バックル装置に係合させる、タングレスシートベルト装置が既に提唱されている（例えば、特許文献１、特許文献２、及び特許文献３参照）。
【先行技術文献】
【特許文献】
【０００４】
【特許文献１】実公平０２−０４９１６７号公報
【特許文献２】実公昭６２−０３９６９２号公報
【特許文献３】実開昭５３−０３４７２１号公報
【発明の概要】
【発明が解決しようとする課題】
【０００５】
上記従来技術においては、バックル装置に、一端を自由端としたアームを回動可能に設けて、そのアームの自由端側からベルトを挿入してベルトをアームに係合させた後、そのアームの自由端をバックル装置本体側に係合させることで、抜け止め状態でシートベルトを折り返すように構成されている。
【０００６】
しかしながら、例えば、特許文献１及び特許文献２に記載の構造では、シートベルトのアームへの係合操作と、アームのバックル装置本体側への係合操作とを、ワンタッチ操作で行うことができず、操作が煩わしいという問題が生じていた。
【０００７】
また、特許文献３に記載の構造構成では、弾性を有するシートベルトを利用してアームを回動させることが困難であることから、タングに替わるグリップを設ける必要がある。この結果、実質的にタングレスとはならず、上述したタングを有する場合と同様の、装着作業の煩わしさは依然として解消されてはいなかった。
【０００８】
本発明の目的は、シートベルトのアームへの係合操作とアームのバックル装置本体側への係合操作とを、ワンタッチで行うことができる、シートベルト用のバックル装置を提供することにある。
【課題を解決するための手段】
【０００９】
上記目的を達成するために、第１発明のシートベルト用のバックル装置は、車体上方に開放する開放部を略中央に形成したバックルベースと、前記バックルベースに設けられたバックルカバーと、前記バックルベースの、前記略中央の前記開放部を挟む両側のうち一方側に一端が回動可能に装着されて他端を自由端としたアームと、前記バックルベースの、前記略中央の前記開放部を挟む両側のうち他方側に設けられて前記アームの他端を係合保持する係合部と、前記開放部の底面に設けられて下方への押圧操作により前記アームを回動させて前記アームの他端を前記係合部に係合させるアーム回動部と、を備えていることを特徴とする。
【００１０】
第１発明のシートベルト用のバックル装置によれば、バックスベースの略中央に車体上方に開放する開放部が形成され、バックルカバーがバックルベースに設けられ、他端を自由端としたアームの一端がバックルベースの開放部を挟む一方側に回動可能に装着される。そして、アームの他端を係合保持する係合部がバックルベースの開放部を挟む他方側に設けられ、下方への押圧操作によりアームを回動させてアームの他端を係合部に係合させるアーム回動部が、開放部の底面に設けられている。
操作者は、シートベルトの装着時において、引き出したシートベルトをアームの他端（自由端）から開放部に位置するように挿入することで、シートベルトをアームに係合させることができる。その際、その開放部の底面にアーム回動部が設けられていることから、操作者は、上記係合時にシートベルトを持った引き出し操作の手でそのままアーム回動部を押圧操作するだけで、アームの他端を係合部に係合させることができる。この結果、アームへの係合操作とアームのバックル装置本体側への係合操作とを、ワンタッチ操作で行うことができる
【００１１】
第２発明のシートベルト用のバックル装置は、第１発明のバックル装置において、前記係合部は、前記アームの他端と係合して前記アームの開放方向への回動を阻止するラッチ爪と、前記アームの他端と前記ラッチ爪との係合を解除する解除部と、を備えていることを特徴とする。
【００１２】
これにより、アームの他端がラッチ爪と係合することでアームの開放方向への回動が阻止され、そのアームの他端とラッチ爪との係合を解除部の解除操作によって解除することができる。
【００１３】
第３発明のシートベルト用のバックル装置は、第２発明のバックル装置において、前記アーム回動部は、前記開放部の底面に位置して押圧操作される操作部と、前記操作部の押圧操作に連動して前記アームの他端を係合方向に回動させる回動部と、常時は前記ラッチ爪が退避位置に位置するように前記ラッチ爪と係合しかつ前記操作部の押圧操作に連動して前記ラッチ爪との係合が解除されて前記ラッチ爪を前記アームの他端に弾発係合させるシャッタ部と、を備えていることを特徴とする。
【００１４】
これにより、操作者が開放部の底面に位置された操作部を押圧操作することで、その押圧操作に連動する回動部によってアームが回動される。この結果、シャッタ部によって常時はラッチ爪が退避位置に位置され、かつ、操作部の押圧操作に連動してラッチ爪との係合が解除されて、ラッチ爪をアームの他端に弾発係合させることができる。
【発明の効果】
【００１５】
本発明によれば、シートベルトを装着する際、シートベルトのアームへの係合操作と、アームのバックル装置本体側への係合操作とを、ワンタッチで行うことができる。
【図面の簡単な説明】
【００１６】
【図１】本発明の一実施形態のバックル装置を示し、（Ａ）はシートベルト係合前のバックル装置とシートベルトとの関係を示す説明図、（Ｂ）はアーム回動操作時の説明図、（Ｃ）はシートベルト係合状態のバックル装置とシートベルトとの関係を示す説明図である。
【図２】本発明の一実施形態のバックル装置を示し、（Ａ）はシートベルト係合前のアームと係合部との関係を示すバックルカバーを取り外した状態の要部の側面図、（Ｂ）はシートベルト係合時のアームと係合部との関係を示すバックルカバーを取り外した状態の要部の側面図である。
【図３】本発明の一実施形態のバックル装置を示し、（Ａ）はラッチ爪埋没状態のシャッタとラッチ爪との関係を示す要部の断面図、（Ｂ）はラッチ爪ロック解除状態のシャッタとラッチ爪との関係を示す要部の断面図、（Ｃ）はラッチ爪突出状態のシャッタとラッチ爪との関係を示す要部の断面図である。
【図４】本発明の一実施形態のバックル装置を示し、（Ａ）はラッチ爪埋没状態のシャッタとラッチ爪との関係を示す要部の斜視図、（Ｂ）はラッチ爪埋没状態のシャッタとラッチ爪との関係を示す要部の断面図、（Ｃ）はラッチ爪突出状態のシャッタとラッチ爪との関係を示す要部の斜視図、（Ｄ）はラッチ爪突出状態のシャッタとラッチ爪との関係を示す要部の断面図である。
【図５】本発明の一実施形態のバックル装置を示し、（Ａ）はアーム回動位置と操作部との関係を示すアーム開放状態の要部の断面図、（Ｂ）はアーム回動位置と操作部との関係を示すアーム閉成状態の要部の断面図である。
【図６】本発明の一実施形態のバックル装置をベルトリーチャシステムに適用した場合の説明図であり、（Ａ）はリーチャーアームが引き込まれた初期状態、（Ｂ）はリーチャーアームを伸び出させた状態を表す図である。
【発明を実施するための形態】
【００１７】
以下、本発明の一実施形態を図面を参照しつつ説明する。なお、以下の説明において、上下方向とは車体の上下方向をいう。また左右方向とは車体の左右方向、すなわち、車幅方向をいう。また、図１に示したバックル装置は、乗員の右側を車体外側として車体内側に配置されたものとし、乗員の左手によって操作する場合で説明する。
【００１８】
図１において、バックル装置１０は、金属プレートのプレス加工によって車体設置状態において中央を上向きに開放する略コの字状とされたバックルベース１２と、バックルベース１２に着脱可能に係合保持されるバックルカバー１４と、を備えている。バックルベース１２とバックルカバー１４とは、その合せ構造によって所定の厚さを確保しており、内部を中空としている。また、バックルカバー１４をバックルベース１２と略同一形状とすることにより、その略中央に上方（車体設置状態）に向けて開放する開放部１６を形成している。
【００１９】
バックルベース１２は、図２に示すように、開放部１６を挟む両側のうち一方側でアーム２０の一端２０ａを回動可能に軸支する支持軸１２ａが設けられている。また、バックルベース１２の、開放部１６を挟む両側のうち他方側には、アーム２０の他端２０ｂと係合する係合部３０を配置している。なお、この例では、開放部１６を車両前後方向に沿って挟む両側のうち上記一方側に支持軸１２ａ、上記他方側に係合部３０が設けられている（後述の図６（Ａ）（Ｂ）等参照）が、当該挟む方向は上記車両前後方向に限られない。すなわち、車両左右方向に沿って挟む両側のうち一方側に支持軸１２ａ、他方側に係合部３０が設けられていてもよい。さらには、車両前後方向や左右方向にも限られず、車両前後方向に斜めに交差する斜め方向に沿って挟む両側のうち一方側に支持軸１２ａ、他方側に係合部３０が設けられていてもよい。さらに、バックルベース１２の中央寄りの下方には、車体（例えば、床面や座席のシートスライドレール等）に固定するための車体取付部１２ｂが設けられている。また、バックルベース１２には、シートベルトＳをアーム２０に係合させた状態でアーム２０の他端２０ｂを係合部３０に係合させるアーム回動部４０を配置している。
【００２０】
アーム２０は、例えば、薄肉金属プレートからなるアーム本体２２と、インサート成形等によりアーム本体２２に設けられた樹脂製の折返部２４と、を一体に備えている。アーム本体２２の一端（アーム２０の一端２０ａ）には、支持軸１２ａよりも他端側に係合突起２６が一体に設けられている。アーム本体２２の他端（アーム２０の他端２０ｂ）には、係合穴２８が形成されている。なお、アーム本体２２の他端は係合穴２８を取り巻く部位のうち、少なくとも下端側がその他の部位（下縁）よりも下方に突出しており、シートベルトＳが抜けないように引っ掛かる引っ掛け部２２ａを構成している。なお、本実施の形態では、バックルベース１２とバックルカバー１４とは、中央を上向きに開放する略コの字状（凹の字状）とし、その空間部分にアーム２０が跨ることでシートベルトＳの折り返しを可能としたものを開示したが、上記の形状に限定されるものでは無い。例えば、バックルベース１２とバックルカバー１４とをＨの字状としても良い。また、バックルベース１２とバックルカバー１４とをＬの字状とするとともに、アーム２０を横向きのＬの字状とするなどでも良い。
【００２１】
係合部３０は、車幅方向に変位可能とされたラッチ爪３２と、ラッチ爪３２を突出方向に付勢するコイルスプリング３４と、ラッチ爪３２をコイルスプリング３４の付勢に抗して埋没方向に変位させる操作ボタン３６と、を備えている。なお、解除部としての操作ボタン３６によるラッチ爪３２の埋没方向への変位（ロック解除）には、周知のタング式のバックル装置における操作ボタンによるタングとラッチ爪との係合解除機構と同一のものを適用することができる。したがって、操作ボタン３６は、操作者（利用者）による押圧操作が解除されれば、ラッチ爪３２の位置に関係なく元の位置に自動復帰する（図４（Ａ），（Ｃ）参照）。
【００２２】
ラッチ爪３２は、アーム２０が挿入され側を先端とし、その先端がアーム２０に向かう方向を突出方向、その先端がアーム２０から離れる方向を埋没方向としている。
【００２３】
アーム回動部４０は、開放部１６の底面に位置して押圧操作される操作部４２と、バックルベース１２の上記一方側に位置して操作部４２の押圧操作に連動してアーム２０の他端２０ｂを係合方向に回動させる回動部４４と、バックルベース１２の上記他方側に位置したシャッタ部４６と、を備えている。
【００２４】
回動部４４は、アーム２０の一端に設けた係合突起２６と係合する係合穴４４ａが形成されている。これにより、操作部４２が押し下げられると、係合穴４４ａにより係合突起２６が押し下げられ、アーム２０が支持軸１２ａを回動死点として回動する。
【００２５】
シャッタ部４６は、図３（Ａ）及び図４（Ａ），（Ｂ）に示すように、常時はラッチ爪３２が退避位置に位置するようにラッチ爪３２と係合し、かつ、図３（Ｂ），（Ｃ）及び図４（Ｃ），（Ｄ）に示すように、操作部４２の押圧操作に連動してラッチ爪３２との係合が解除されてラッチ爪３２をアーム２０の他端２０ｂに形成した係合穴２８と弾発係合させるシャッタ４８を備えている。
【００２６】
上記の構成において、操作者は、例えば、車体外側のセンターピラー（図示せず）の上端付近から露出しているシートベルトＳの任意の位置を持ち、そのまま車体床面等に設けられたリトラクタ（図示省略。後述の変形例における図６も参照）に巻き取られているシートベルトＳを車体内側へと引き出す（図１（Ａ）参照）。
【００２７】
そして、そのまま、そのシートベルトＳをアーム２０の他端（自由端）２０ｂから開放部１６に位置するように挿入する（図１（Ｂ）参照）。
【００２８】
さらに、その連続動作によって操作部４２を親指等で押し下げれば（図５（Ａ）参照）、アーム２０に触れることなく、アーム２０が回動し、アーム２０の他端２０ｂと係合部３０とを係合させることができる。すなわち、シャッタ４８が押し下げられ（図４（Ｃ），（Ｄ））、ラッチ爪３２がコイルスプリング３４の付勢によって突出して係合穴２８と弾発係合することでアーム２０の他端２０ｂと係合部３０とが係合する。この後、シートベルトＳから手を離せば、シートベルトＳがアーム２０に折り返されるように係合する（図１（Ｃ）、図５（Ｂ）参照）。これにより、シートベルトＳによって乗員を拘束することができる。
【００２９】
なお、降車する際等には、操作ボタン３６を押し下げればラッチ爪３２がコイルスプリング３４の付勢に抗して埋没方向に変位し、ラッチ爪３２と係合穴２８との係合が解除される。この係合解除により、例えば、リトラクタ装置のベルト巻き取り力や乗員の降車動作によってアーム２０が開放方向に回動し、シートベルトＳとアーム２０との係合も解除されてリトラクタ装置に巻き取られていく。
【００３０】
このように、本発明のバックル装置１０によれば、シートベルトＳにタングやグリップといった係合部材を不要とし、そのままシートベルトＳをバックル装置１０に係合させることができ、タングやグリップの存在を確認したり持ち替えたりするなどの作業を行うことなくシートベルトＳの装着を行うことができる。
【００３１】
また、シートベルトＳは、アーム２０に触れることなくアーム２０と係合させることができる。同時に、アーム２０は、アーム２０に触れることなく、係合部３０に係合させることができる（アーム閉成状態・ロック状態）。したがって、一連のワンタッチ操作でシートベルトＳを容易に装着することができる。
【００３２】
以上説明したように、本実施形態においては、操作者は、シートベルトＳの装着時において、引き出したシートベルトＳをアーム２０の自由端から開放部１６に挿入することで、シートベルトＳをアーム２０に係合させることができる。その際、その開放部１６の底面にアーム回動部４０が設けられていることから、操作者は、上記係合時にシートベルトＳを持った引き出し操作の手でそのままアーム回動部４０の操作部４２を押圧操作するだけで、アーム２０の自由端を係合部３０に係合させることができる。この結果、シートベルトＳのアーム２０への係合操作と、アーム２０のバックル装置１０本体側の係合部３０への係合操作とを、ワンタッチ操作で行うことができる
【００３３】
なお、以上においては、バックルベース１２は、車体を構成する床面等に直接、あるいは、ブラケットや座席構成部品（例えば、スライドレール等）を介して床面に間接的に保持されるものとしたが、乗員の位置（例えば、運転席、助手席、セカンドシート、サードシート等）に応じて、適宜の位置で直接又は間接的に車体に固定される構成でも良い。
【００３４】
また以上においては、アーム２０は車体前方側を自由端としてシートベルトＳの開放部１６への挿入を行う構成としたが、これに限られず、車体後方側を自由端として構成しても良い。
【００３５】
また以上においては、アーム２０の他端２０ｂに係合穴２８を形成してラッチ爪３２を挿入することで係合状態（アーム閉成状態・ロック状態）とするものを開示したが、例えば、ラッチ爪３２をバネ付勢等により常時突出状態とするとともにアーム挿入側を傾斜させておき、アーム２０が回動してその他端２０ｂが傾斜部分に当接したときにアーム２０の回動により付勢に抗してラッチ爪３２を退避させ、アーム２０の他端２０ｂがラッチ爪３２を乗り越えた（通過した）ときに付勢によって再び突出することで開放方向へのアーム２０の回動を阻止するように構成しても良い。この際、アーム２０とラッチ爪３２との解除は、解除ボタンの押圧操作によってラッチ爪３２が付勢に抗して退避される。
【００３６】
また以上においては、アーム２０とラッチ爪３２との係合が解除された際には、リトラクタ装置のベルト巻取り力や乗員の降車動作によってアーム２０が開放方向に回動するものとしたが、例えば、アーム２０の一端２０ａ側にアーム開放方向に付勢する渦巻きバネ等を配置したり、アーム２０の他端２０ｂ側にアーム開放方向に付勢するコイルスプリングを配置することで、アーム２０を開放方向に回動させることも可能である。この際、渦巻きバネやコイルスプリングの付勢は、解除ボタンの操作後にアーム２０とラッチ爪３２とが不測に再係合しない程度にアーム２０が回動すればよい。
【００３７】
また以上においては、アーム２０の他端２０ｂを下方きに突出させることでアーム２０とラッチ爪３２との係合が解除された際にシートベルトＳがそのまま巻き取られないようにした構成を開示したが、アーム２０の他端２０ｂにフック状の係合爪を設ける等によってシートベルトＳの巻き取りを抑制する構成としても良い。
【００３８】
なお、上記実施形態のバックル装置１０は、周知のシートベルト装置全般に適用することができる。特に、乗員が着座した際に、シートベルトをシートバック部の前方に自動的に移動させてシートベルトの装着を容易に行えるようにしたベルトリーチャシステムへの適用も可能である。そのような変形例を図６に示す。なお、以下において、車両の左側座席に設置される座席シートへの適用例を示すものであり、図６中の紙面に向かって手前側（着座している乗員から見た左側）が窓側（車両外側）となっている。そして、特に注記しない限り、方向は操作者である乗員から見た方向で説明する。
【００３９】
図６（Ａ）及び図６（Ｂ）において、座席シート２が、乗員（特に図示せず）が着座した際の座面となるシート部２ａと、乗員の背面を支持するシートバック部２ｂと、このシートバック部２ｂの上端に設けられて乗員の頭部を支持するヘッドレスト部２ｃとを備えている。座席シート２の上後方側、すなわち乗員が着座した際の左肩の近傍に位置するシートバック部２ｂの後方側には、図示しない車両側の部材に固定された平板形状のトレイ３が設けられており、このトレイ３の上面にリトラクタ４が固定的に設置されている。
【００４０】
リトラクタ４は、上記シートベルトＳの上方側端部に連結して巻き取りと引き出しを行う。そしてシートベルトＳの下方側端部は、シート部２ａとシートバック部２ｂの間の隙間に挿入され、図示しない車両側の固定部材に固定されている。そしてシート部２ａの右側に、上記実施形態のバックル装置１０が設けられている。これによりシートベルトＳは、上記バックル装置１０に係合されていない状態では、座席シート２の左側、すなわち着座した乗員の左側の近傍で上下方向に配置されている。
【００４１】
上記リトラクタ４は、筐体４ａの内部に円筒形状のスプール（図示せず）を回転可能に備えており、このスプールに筐体４ａの挿通口４ｂを介して挿通したシートベルトＳの上方側端部を固定して巻き付けている。このスプールの近傍には図示しないスプリングが設けられており、常にはスプールがシートベルトＳを巻取る方向となる付勢力をスプールに作用させている。
【００４２】
リトラクタ４の上方には、リーチャー８が固定されている。このリーチャー８は、前後方向に伸縮可能なリーチャーアーム９と、このリーチャーアーム９の前方側端部に回転可能に設けられたリーチャーヘッド５とを有している。リーチャーヘッド５は概略的に挿通孔（図示省略）を有するリング状に形成されており、その挿通孔にシートベルトＳを挿通させて摺動移動が可能となっている。
【００４３】
リーチャー８は、筐体８ａの内部に設けたモータ（図示せず）が正転した場合にはその駆動力がリーチャーアーム９に伝達され、リーチャーアーム９が（上記リーチャーヘッド５の挿通孔に挿通されたシートベルトＳに作用している、リトラクタ４の上記スプリングの付勢力に抗して）前方側へ伸び出される。リーチャーアーム９が伸び出した状態では、図６（Ｂ）に示すようにリーチャーヘッド５がシートベルトＳを前方に移動させ、シートバック部２ｂから離間させることができる。これにより、操作者は上記バックル装置１０へのシートベルトＳへの係止を容易に行うことができる（図６（Ｂ）中の破線参照）。また、モータが逆転した場合には、上記とは逆に、リーチャーアーム９が後方側へと引き込まれ、最終的にリーチャーアーム９全体が短くなって筐体８ａの内部に収納され、図６（Ａ）の状態に戻る。
【００４４】
上記ベルトリーチャシステムにおいては、上記バックル装置１０を用いることでシートベルトＳのタングが省略されシートベルトＳ全体が軽量化されることから、リトラクタ４に内蔵される上記スプリングの付勢力を比較的小さくすることができる。そして、前述したように、リーチャーアーム９が前方側へ伸び出る際には、上記スプリングの付勢力に抗して伸び出しが行われることから、上記のようにスプリングの付勢力が小さくなることで、リーチャーアーム９に駆動する上記モータの駆動力を小さくする（言い換えればモータを小型化する）ことができる。
【００４５】
なお、上記の例では、シートベルトＳとは別に設けたリーチャーアーム９を伸縮駆動することでシートベルトＳをシートバック部２ｂから離間させたり近接させたが、これに限られない。シートベルトＳを中空構造として、その内部に多関節構造の金属芯部材を挿通させ、当該金属芯部材を上記リーチャーアームと同様に伸縮駆動することで、シートベルトＳをシートバック部２ｂから離間させたり近接させてもよい。
【００４６】
またさらに、上記リーチャーアーム９と同様のアーム部材をシート部２ａの右側にバックル装置１０用に設け、当該アーム部材の先端に上記バックル装置１０を設けることで、上記シートベルトＳのみならず、上記バックル装置１０もシートバック部２ｂから離間させたり近接させてもよい。この場合、アーム部材の伸び出しによってバックル装置１０を乗員の手元付近に位置させることで、操作者（乗員）の手元付近でシートベルトＳのバックル装置１０への係止を行うことができる。
【００４７】
また、以上既に述べた以外にも、上記実施形態や各変形例による手法を適宜組み合わせて利用しても良い。
【００４８】
その他、一々例示はしないが、本発明のバックル装置は、その趣旨を逸脱しない範囲内において、種々の変更が加えられて実施されるものである。
【符号の説明】
【００４９】
１０  バックル装置
１２  バックルベース
１２ａ  支持軸
１２ｂ  車体取付部
１４  バックルカバー
１６  開放部
２０  アーム
２０ａ  一端
２０ｂ  他端
２２  アーム本体
２２ａ  引っ掛け部
２４  折返部
２６  係合突起
２８  係合穴
３０  係合部
３２  ラッチ爪
３４  コイルスプリング
３６  操作ボタン（解除部）
４０  アーム回動部
４２  操作部
４４  回動部
４４ａ  係合穴
４６  シャッタ部
４８  シャッタ
Ｓ  シートベルト
【図１】
2014054905.tif 000003
【図２】
2014054905.tif 000004
【図３】
2014054905.tif 000005
【図４】
2014054905.tif 000006
【図５】
2014054905.tif 000007
【図６】
2014054905.tif 000008